(57)【要約】      （修正有）【課題】お手玉型座ぶとんの詰め物を「わた」から、カットパイプ等水洗いが可能で、かつ「わた」仕立てと同様の風合い、感触、使い心地感を持つ素材に変更することで、洗濯が可能となり、汚れに対する不安を解消するお手玉型座ぶとんを提供する。【解決手段】お手玉型座ぶとんの側１の詰め物の投入口よりカットパイプ３を投入する。「わた」を使用した際と同様の形状になるまでカットパイプを投入後投入口を閉じ、上面と底面の中心部を糸４で綴じられたお手玉型座ぶとんは、詰め物が水洗いできる事から洗濯が可能となり、汚れに対する不安が解消されることで様々な床ライフに使用出来るようになる。【選択図】図３
0003180872.tif 000002
【実用新案登録請求の範囲】
【請求項１】
４枚の布をお手玉を作る要領で立体縫製した座ぶとん側に、詰め物としてプラスチック製パイプを短くカットした様な円柱形のカットパイプを使用した洗濯可能なお手玉型座ぶとん。
【請求項２】
４枚の布をお手玉を作る要領で立体縫製した座ぶとん側に、詰め物としてプラスチック製やゴム製等の中空、非中空の球状や樽状の様な玉を使用した洗濯可能なお手玉型座ぶとん。
【請求項３】
４枚の布をお手玉を作る要領で立体縫製した座ぶとん側に、詰め物として［請求項１］のカットパイプや［請求項２］の玉を混ぜ合わせて使用した洗濯可能なお手玉型座ぶとん。
【考案の詳細な説明】
【技術分野】
【０００１】  座ぶとんの詰め物として、水洗いが可能で、布袋に詰めた時にヘタリが少なく、設置面の形状に関係なく布袋の上部を平面にでき、布袋の表面が凸凹せず自然なカーブが作れ、布袋の表面を触ってもソフトな感触が得られる素材を使用した、洗濯可能なお手玉型座ぶとんに関するものである。  なおこの物品はクッションとしても使用できる。
【背景技術】
【０００２】  座ぶとんの汚れに対するメンテナンスは、かっては地域の布団屋で行われていた。近年はこうした布団屋が激減する一方で、座ぶとんの販売も百貨店、量販店、ホームセンター、通信販売等の販売主体の業者が主に行っており、メンテナンスは疎かになりがちで、結局は消費者が座布団カバーを新しく購入するか、クリーニング店や布団屋を探し出し個別に連絡を取るか、製造元に相談するしか方法はない状態である。
【考案の開示】
【考案が解決しようとする課題】
【０００３】  従来より座ぶとんの詰め物には「わた」が使われてきた。「わた」には木綿わたと木綿とポリエステルが混ざったミックスわたが有り、何れも一般家庭での洗濯は出来なかった。昭和の後半までは、座ぶとんは衣替えの時期や汚れた時に地域の布団屋が「わた」を取り出し「打ち直し」し、布団側を洗濯する等のメンテナンスを行ってきた。近年は、座ぶとんカバーの使用が一般化すなか地域の布団屋は激減し、普通の四角い座ぶとんでさえメンテナンスが難しくなっている。とりわけ、お手玉型座ぶとんの「わた入れ」は普通の四角い座ぶとんと形態が全く違う為、座ぶとんの汚れに対するメンテナンスは製造元へ送り返すしか方法がなかった。一方消費者からは、お手玉型座ぶとんは、普通四角いの座ぶとんに比べ高さが有るため、胡坐や正座、割り座でも楽に長く座れ、座姿勢も良く好評で需要は増加してきたが、使用頻度が多くなると汚れる頻度も増え、家庭での洗濯の要望が増えてきた。従って、お手玉型座ぶとんの詰め物を従来の「わた」から水洗いが可能で、しかも座ぶとんに仕立てた時に「わた」を使用した場合と遜色のない風合い、感触、使い心地の良い素材に変更し、前述の欠点を解消しようとするものである。
【課題を解決するための手段】
【０００４】  この考案は、４枚の布をお手玉を作る要領で立体縫製したお手玉型座ぶとん（お手玉型座ぶとんは立方体の上面と底面を４５度ひねった変形立方体の形をしている）の詰め物を、「わた」から、容易に水洗いが可能で、しかも仕上がった時は「わた」と同様の風合い、感触、使い心地の良さを備えることが出来る新しい素材として、適度な柔らかさと原形回復力を持つ細いポリエチレン等のプラスチック製パイプを短くカットした様な円柱形のカットパイプに変更する事で、家庭でも洗濯が可能となる事により問題を解決している。
【考案の効果】
【０００５】  高度経済成長期以降の我々日本人のライフスタイルは、椅子生活を主体とする欧米型のライフスタイルに変った。また日本人自身も、床座に馴染みの少ない若年者はもとより、床座に馴染んでいた中高年者さえも身体的に床座が困難になる等の理由で床座を好まなくなってきた。しかしながら我々の実生活では、「ソファーを背もたれに床に座る」で代表される様な新しい床座スタイルが日常化するなか、和モダンと呼ばれる新たな日本人の床座ライフも生まれてきた。座ぶとん職人が作る高さが有る椅子感覚のお手玉型座ぶとんは、楽に長く座れ、座姿勢も良い新しい床座の道具として多くの人に使われ、和モダンな床座を楽しむ一翼を担ってきた。ところがお手玉型座ぶとんの使用頻度の増加は汚れの増加にも繋がり、洗濯等の汚れに対するメンテナンスが求められるようになってきた。本考案の適度な柔らかさと原形回復力を持つ細いポリエチレン等のプラスチックパイプを短くカットした様な円柱形のカットパイプを詰め物として使用したお手玉型座ぶとんは、「わた」と同様の風合い、感触、使い心地の良さを備え、しかも家庭で洗濯も可能となり、上述の様な汚れの危惧も払拭でき、床座での食事の新たな展開が可能となる等、様々な床座シーンの演出に手軽に使える様になり新たな和モダンの構築にも役立つ。また本考案は、洗濯が可能でしかも楽に長く座れて座姿勢も良く保てることから、飲食店等での業務用用途や、産婦人科での妊婦の補助具、幼稚園での園児の座具等として使用することで、既存の床座ライフをより良い床座ライフにすることもできる。
【考案を実施するための最良の形態】
【０００６】  ４枚の布をお手玉を作る要領で立体縫製する。一箇所は詰め物を投入する口として縫製せずに空けておく。この口から円柱形のカットパイプを投入し、「わた」を使用した際と同様の形状になったところで投入を止め、投入口を縫い合わすと高さのある変形立方体が出来る。この上面の４枚の布の角が縫い合わさった中心部から底面の同様の中心部へ針で糸を通し、更に底面から上面へ糸を通す。この糸で上面及び底面をしっかり縛ることで、上面の布と底面の布をしっかり固定さす。この様にする事で高さが有るにも係わらず上面の布と底面の布のスベリによるずれを防ぐと共に詰め物のカットパイプの動きを適度な動きに制御し、お手玉型の綺麗なフォルムと安定した座り心地が作れる。洗濯は手洗いで、濯ぎの後、脱水層で脱水し陰干しするのが良い。詰め物の形状は、濯ぎ、脱水、乾燥を容易にするためにもパイプの様な中空の物が良い。
【実施例】
【０００７】  以下、添付図面及び写真に従って一実施例を説明する。１はお手玉型座ぶとんの側である。２はお手玉型座ぶとんの側を縫製する際に詰め物を投入する為に一箇所開けられた投入口である。３は新しい詰め物素材のカットパイプである。
このカットパイプ３を投入口２から「わた」を使用した際と同様の形状になるまで投入後投入口２を閉じ、上面と底面の中心部を糸４で綴じる。【０００８】  本考案の一実施例は、上述の如き構成からなるものであるから、お手玉型の綺麗なフォルムと安定した座り心地が得られ、かつ洗濯も可能なお手玉型座ぶとんである。
【図面の簡単な説明】
【０００９】
【図１】本考案の４枚の布をお手玉を作る要領で立体縫製し、詰め物を投入する口を一箇所空けた状態のお手玉型座ぶとんの側の斜視図である。
【図２】本考案のカットパイプの斜視図である
【図３】本考案の断面図である。
【写真の簡単な説明】
【００１０】  ［写真１］本考案のお手玉型座ぶとんの斜視写真である。
［写真２］本考案のカットパイプの集合斜視写真である。
【符号の説明】
【００１１】  １  お手玉型座ぶとんの側
２  詰め物を投入する投入口
３  カットパイプ
４  糸
【図１】
0003180872.tif 000003
【図２】
0003180872.tif 000004
【図３】
0003180872.tif 000005